(57)【要約】【課題】撮影者の動作に応じた画像を取得できる撮像装置を提供する。【解決手段】デジタルカメラ１００は、被写体からの光を結像させる撮影光学系２と、撮影光学系２によって結像された被写体の画像データを取得する撮像部３と、画像処理制御部１とを備える。画像処理制御部１は、動作判定部１ａと、撮像制御部１ｂと、画像合成部１ｄを含む。動作判定部１ａは、撮影者が行う指し示す動作を画像データに基づいて判定し、指示信号を出力する。撮像制御部１ｂは、指示信号に基づいて、前記撮像部に複数回の前記撮影動作を行わせる。画像合成部１ｄは、複数回の撮影動作によって得られた複数の画像データと指示信号とに基づいて、合成画像を作成する。【選択図】図１
2015019215.tif 000002
【特許請求の範囲】
【請求項１】
被写体からの光を結像させる光学系と、
前記光学系によって結像された前記被写体の画像データを取得する撮影動作を行う撮像部と、
前記被写体に含まれる撮影者が行う指し示す動作を前記画像データに基づいて判定し、前記動作に応じた指示信号を出力する動作判定部と、
前記指示信号に基づいて、前記撮像部に複数回の前記撮影動作を行わせる撮像制御部と、
複数回の前記撮影動作によって得られた複数の前記画像データと前記指示信号とに基づいて、合成画像を作成する画像合成部と
を具備する撮像装置。
【請求項２】
前記動作判定部は、前記撮影者が指し示した複数の位置に係る情報を含む前記指示信号を出力し、
前記撮像制御部は、前記複数の位置の各々に注目被写体が位置したときに前記撮像部に前記撮影動作を行わせ、
前記画像合成部は、前記複数の位置における前記注目被写体の画像を合成して前記合成画像を作成する、
請求項１に記載の撮像装置。
【請求項３】
前記合成画像は、複数のフレームを含み、
前記動作判定部は、前記撮影者が指し示した注目被写体を特定し、
前記撮像制御部は、前記注目被写体が特定された後に前記撮像部に前記撮影動作を行わせ、
前記画像合成部は、複数の前記画像データの各々から前記注目被写体の画像を切り出し、前記複数のフレームのうちの各々に前記注目被写体の画像を配置して、組写真である前記合成画像を作成する、
請求項１に記載の撮像装置。
【請求項４】
画像を表示する表示部と、
前記表示部に設けられたタッチパネルと、
前記表示部に表示する画像を制御する表示制御部と、
前記撮影者による前記タッチパネルへの入力を判定するタッチ判定部と
をさらに具備し、
前記表示制御部は、前記表示部に前記複数のフレームを表示させ、
前記画像合成部は、前記注目被写体が特定された後に撮像された前記画像データから前記注目被写体の画像を切り出して当該撮像後に前記タッチ判定部が判定した前記撮影者がタッチした前記フレームに前記注目被写体の画像を配置することを繰り返して、前記組写真を作成する、
請求項３に記載の撮像装置。
【請求項５】
前記撮影者が指し示した範囲に含まれる人の視線を判定し、前記視線が前記光学系を向いているときに視線合致信号を出力する視線判定部をさらに具備し、
前記撮像制御部は、前記視線判定部から前記視線合致信号が出力されたときに前記撮像部に前記撮影動作を行わせ、
前記画像合成部は、前記視線が前記光学系を向いている前記人の画像を合成して前記合成画像を作成する、
請求項１に記載の撮像装置。
【請求項６】
前記動作判定部は、前記撮影者が行う前記指し示す動作に基づいて、複数の撮影モードのうちから１つを選択し、前記指示信号を出力する請求項１に記載の撮像装置。
【請求項７】
前記複数の撮影モードは、先端重視モードと、組写真モードと、全員モードとのうち少なくとも１つを含み、
前記先端重視モードにおいては、
前記動作判定部は、前記撮影者が指し示した複数の位置に係る情報を含む前記指示信号を出力し、
前記撮像制御部は、前記複数の位置の各々に注目被写体が位置したときに前記撮像部に前記撮影動作を行わせ、
前記画像合成部は、前記複数の位置における前記注目被写体の画像を合成して前記合成画像を作成し、
前記組写真モードにおいては、
前記合成画像は、複数のフレームを含み、
前記動作判定部は、前記撮影者が指し示した注目被写体を特定し、
前記撮像制御部は、前記注目被写体が特定された後に前記撮像部に前記撮影動作を行わせ、
前記画像合成部は、複数の前記画像データの各々から前記注目被写体の画像を切り出し、前記複数のフレームのうちの各々に前記注目被写体の画像を配置して、組写真である前記合成画像を作成し、
前記全員モードにおいては、
前記撮像制御部は、前記撮影者が指し示した範囲に含まれる人の視線を判定して前記視線が前記光学系を向いているときに視線合致信号を出力する視線判定部から、前記視線合致信号が出力されたときに前記撮像部に前記撮影動作を行わせ、
前記画像合成部は、前記視線が前記光学系を向いている前記人の画像を合成して前記合成画像を作成する、
請求項１に記載の撮像装置。
【請求項８】
前記光学系は、広角レンズ又は魚眼レンズを含み、前記光学系の光軸が天頂方向に向けられて撮影が行われるように構成されている、請求項１乃至７のうち何れか１項に記載の撮像装置。
【請求項９】
被写体からの光を結像させる光学系によって結像された前記被写体の画像データを取得する撮像動作を行うことと、
前記被写体に含まれる撮影者が行う指し示す動作を前記画像データに基づいて判定することと、
前記動作に応じた指示信号を出力することと、
前記指示信号に基づいて、前記撮像部に複数回の前記撮影動作を行わせることと、
複数回の前記撮影動作によって得られた複数の前記画像データと前記指示信号とに基づいて、合成画像を作成することと
を具備する撮像方法。
【発明の詳細な説明】
【技術分野】
【０００１】
本発明は、撮像装置及び撮像方法に関する。
【背景技術】
【０００２】
一般に、種々の撮像装置が知られている。例えば特許文献１には、次のようなデジタルカメラに係る技術が開示されている。すなわち、このデジタルカメラにおいては、複数のカメラが、それらの光軸が放射状になるように配置されている。このような配置により、このデジタルカメラは、１回の撮影で３６０度の全方位撮影が可能である。
【０００３】
また、例えば特許文献２には、インターネットに接続されたデジタルカメラに係る技術が開示されている。このデジタルカメラで取得した画像を多人数に配信する場合に、カメラ操作に対応するカメラの制御命令がクライアント装置から受信される。受信された制御命令は、カメラの種類に応じて実行され、当該実行結果に基づく画像がクライアント装置へ送信される。これらにより、複数人によって同時にカメラ制御が行われ得る。
【先行技術文献】
【特許文献】
【０００４】
【特許文献１】特開２００３−２４４５１１号公報
【特許文献２】特開２００４−２５４０３１号公報
【発明の概要】
【発明が解決しようとする課題】
【０００５】
写真撮影においては、撮影者の撮影意図が反映された画像が取得されることが好ましい。撮影意図を表す一つの方法として、撮影者は自身の撮影意図を自身の動作によって表すことができる。
【０００６】
本発明は、撮影者の動作に応じた画像を取得できる撮像装置及び撮像方法を提供することを目的とする。
【課題を解決するための手段】
【０００７】
前記目的を果たすため、本発明の一態様によれば、撮像装置は、被写体からの光を結像させる光学系と、前記光学系によって結像された前記被写体の画像データを取得する撮影動作を行う撮像部と、前記被写体に含まれる撮影者が行う指し示す動作を前記画像データに基づいて判定し、前記動作に応じた指示信号を出力する動作判定部と、前記指示信号に基づいて、前記撮像部に複数回の前記撮影動作を行わせる撮像制御部と、複数回の前記撮影動作によって得られた複数の前記画像データと前記指示信号とに基づいて、合成画像を作成する画像合成部とを具備する。
また、前記目的を果たすため、本発明の一態様によれば、撮像方法は、被写体からの光を結像させる光学系によって結像された前記被写体の画像データを取得する撮像動作を行うことと、前記被写体に含まれる撮影者が行う指し示す動作を前記画像データに基づいて判定することと、前記動作に応じた指示信号を出力することと、前記指示信号に基づいて、前記撮像部に複数回の前記撮影動作を行わせることと、複数回の前記撮影動作によって得られた複数の前記画像データと前記指示信号とに基づいて、合成画像を作成することとを具備する。
【発明の効果】
【０００８】
本発明によれば、撮影者の動作に応じた画像を取得できる撮像装置及び撮像方法を提供できる。
【図面の簡単な説明】
【０００９】
【図１】一実施形態に係るデジタルカメラの構成例の概略を示すブロック図。
【図２Ａ】デジタルカメラを用いた撮影方法の一例を説明するための図。
【図２Ｂ】デジタルカメラを用いた撮影方法の一例を説明するための図。
【図２Ｃ】デジタルカメラを用いた撮影方法の一例を説明するための図。
【図３Ａ】全周囲撮影における撮影シーンについて説明するための図。
【図３Ｂ】全周囲撮影によって得られる画像について説明するための図。
【図３Ｃ】全周囲撮影によって得られた画像に対して画像処理を施し得られる画像について説明するための図。
【図４】カメラ制御処理の一例を示すフローチャート。
【図５】撮影者が被写体を指し示すジェスチャーについて説明するための図。
【図６】全周囲モード処理の一例を示すフローチャート。
【図７】全員モードを示すジェスチャーについて説明するための図。
【図８】組写真モードを示すジェスチャーについて説明するための図。
【図９】先端重視モードを示すジェスチャーについて説明するための図。
【図１０Ａ】全員モードにおける被写体ついて説明するための図。
【図１０Ｂ】図１０Ａのシーンで撮影される画像について説明するための図。
【図１０Ｃ】図１０Ａのシーンで撮影される画像について説明するための図。
【図１１】全員モード処理の一例を示すフローチャート。
【図１２Ａ】全員モードについて説明するための図。
【図１２Ｂ】全員モードについて説明するための図。
【図１２Ｃ】全員モードについて説明するための図。
【図１３Ａ】組写真モードにおけるフレームについて説明するための図。
【図１３Ｂ】組写真モードにおける撮影者の動作について説明するための図。
【図１３Ｃ】組写真モードにおける撮影者の動作について説明するための図。
【図１４】組写真モード処理の一例を示すフローチャート。
【図１５Ａ】組写真モードで得られる画像について説明するための図。
【図１５Ｂ】組写真モードで得られる画像について説明するための図。
【図１６】組写真モードにおける撮影者の動作について説明するための図。
【図１７Ａ】組写真モードで得られる画像について説明するための図。
【図１７Ｂ】組写真モードで得られる画像について説明するための図。
【図１８Ａ】先端重視モードについて説明するための図。
【図１８Ｂ】先端重視モードで得られる画像について説明するための図。
【図１９】先端重視モード処理の一例を示すフローチャート。
【発明を実施するための形態】
【００１０】
本発明の一実施形態について図面を参照して説明する。本実施形態に係る撮像装置としてのデジタルカメラ１００の構成例の概略を図１に示す。図１に示すように、デジタルカメラ１００は、画像処理制御部１と、撮影光学系２と、撮像部３と、記録部４と、フラッシュ５と、操作部６と、姿勢判定部７と、第１の表示部１１と、第１のタッチパネル１２と、第２の表示部１３と、第２のタッチパネル１４とを備える。
【００１１】
画像処理制御部１は、デジタルカメラ１００の各部の動作を制御したり、各種画像処理を行ったりする。撮像部３は、撮像素子を含む。撮像素子は、光電変換によって被写体像を電気信号に変換する。撮像部３は、被写体像に係る画像データを出力する。撮影光学系２は、被写体像を撮像部３の撮像素子に結像させる光学系である。本実施形態では、撮影光学系２は、特に、広角レンズや魚眼レンズ等、１８０度に近い画角を有するレンズを備える。
【００１２】
記録部４は、画像処理制御部１で処理された画像情報を記録する。フラッシュ５は、一般的なフラッシュである。操作部６は、例えばレリーズボタンや、モード選択ダイヤル等の各種ダイヤルや、十字キー等を含む各種ボタンスイッチ等を含む。姿勢判定部７は、例えば加速度センサを含み、デジタルカメラ１００の姿勢を検出する。
【００１３】
第１の表示部１１は、例えば液晶表示素子を含む。第１の表示部１１は、デジタルカメラ１００の撮影光学系２が設けられた面と反対側の面である背面に設けられている。第１のタッチパネル１２は、第１の表示部１１の上に設けられている。第２の表示部１３は、例えば液晶表示素子を含む。第２の表示部１３は、デジタルカメラ１００の撮影光学系２が設けられた面である前面に設けられている。第２のタッチパネル１４は、第２の表示部１３の上に設けられている。
【００１４】
画像処理制御部１は、動作判定部１ａと、撮像制御部１ｂと、画像処理部１ｃと、画像合成部１ｄと、表示制御部１ｅと、タッチ判定部１ｆと、視線判定部１ｇと、顔検出部１ｈと、人体検出部１ｉと、一時記憶部１ｊとを含む。
【００１５】
動作判定部１ａは、撮像部３から取得した画像に含まれる撮影者の動作を解析し、撮影者が被写体を指し示す動作を判定する。動作判定部１ａは、撮影者の動作に係る指示信号を作成して出力する。撮像制御部１ｂは、動作判定部１ａから出力された指示信号に基づいて、撮像部３に撮影動作を行わせる。画像処理部１ｃは、撮像部３から取得した画像データに対して各種画像処理を施す。画像合成部１ｄは、動作判定部１ａから出力された指示信号に基づいて、撮像部３によって得られた複数の画像データに基づく画像を合成して、合成画像を作成する。
【００１６】
表示制御部１ｅは、第１の表示部１１及び第２の表示部１３による表示を制御する。タッチ判定部１ｆは、第１のタッチパネル１２及び第２のタッチパネル１４によって感知された信号を取得し、タッチ位置を決定する。
【００１７】
視線判定部１ｇは、画像データに基づいて、被写体の視線を検出し、被写体の視線がデジタルカメラ１００の撮影光学系２の方向を向いているか否かを判定する。顔検出部１ｈは、撮像部３によって取得された画像に含まれる顔を検出する。人体検出部１ｉは、撮像部３によって取得された画像に含まれる人体を検出する。一時記憶部１ｊは、画像処理制御部１で用いられる各種データを一時的に記憶する。
【００１８】
本実施形態に係るデジタルカメラ１００を用いた写真撮影の方法の一例の概略を図２Ａ、図２Ｂ及び図２Ｃに示す。撮影者９１１は、図２Ａに示すように、撮影光学系２に含まれるレンズ２ａを被写体に向けて、背面にある第１の表示部１１を見て構図を確認しながら、一般的な撮影を行うことができる。また、撮影者９１１は、図２Ｂに示すように、第２の表示部１３を見ながら、レンズ２ａを撮影者９１１自身の方向に向けて、撮影者自身を撮影することができる。また、撮影者９１１は、図２Ｃに示すように、撮影光学系２の光軸を例えば上向きにし、第２の表示部１３を確認しながら、全周囲撮影を行うことができる。
【００１９】
図２Ｃに示す全周囲撮影を行う場合について、図３Ａ、図３Ｂ及び図３Ｃを参照してさらに説明する。図３Ａに示すように、デジタルカメラ１００を囲んで複数の注目被写体（人物）がいるシーンにおいて、全周囲撮影を行うと、例えば図３Ｂに示すような画像が取得される。デジタルカメラ１００は、図３Ｂのような画像を記録部４に記録することができる。また、デジタルカメラ１００は、図３Ｂに示すような画像に画像処理を施して、図３Ｃのような展開した画像を作成して、この画像を記録部４に記録してもよい。
【００２０】
本実施形態に係るデジタルカメラ１００は、図２Ｃに示すように撮影者が全周囲撮影を行う場合に用いられる種々の機能を有する。これらの機能には、例えば後述する全員モードや、組写真モードや、先端重視モードが含まれる。
【００２１】
デジタルカメラ１００の動作について、図４に示すカメラ制御処理を表すフローチャートを参照して説明する。ステップＳ１０１において、画像処理制御部１は、撮影モードであるか否かを判定する。撮影モードであると判定されたとき、処理はステップＳ１０２に進む。ステップＳ１０２において、画像処理制御部１は、ライブビュー表示、顔検出、人体検出を行う。すなわち、画像処理制御部１は、撮像部３が生成した画像データを取得する。画像処理制御部１は、取得した画像に画像処理を施し、第１の表示部１１又は第２の表示部１３に表示させるライブビュー画像を生成する。画像処理制御部１は、ライブビュー画像を第１の表示部１１又は第２の表示部１３に表示させる。さらに、画像処理制御部１は、撮像部３から取得した画像データに基づいて、当該画像中に含まれる顔や人体を、例えばテンプレートマッチングといった方法で検出する。
【００２２】
ステップＳ１０３において、画像処理制御部１は、全周囲モードであるか否かを判定する。この判定において、画像処理制御部１は、例えば姿勢判定部７から姿勢に関する情報を取得する。画像処理制御部１は、例えば撮影光学系２の光軸が天頂方向を向いているとき、全周囲モードであると判定する。全周囲モードであると判定されたとき、処理はステップＳ１０４に進む。ステップＳ１０４において、画像処理制御部１は、全周囲画像を一時記憶部１ｊに記憶する。ステップＳ１０５において、画像処理制御部１は、全周囲モード処理を行う。
【００２３】
全周囲モード処理について説明する。全周囲モード処理では、例えば図５に示すように、撮影者９１１が指９１２で被写体を指し示すジェスチャーによって全員モード、組写真モード、及び先端重視モードのうち何れが実行されるかが選択される。
【００２４】
全周囲モード処理に係る動作について、図６に示すフローチャートを参照して説明する。ステップＳ２０１において、画像処理制御部１は、撮影者の顔を検出する。ステップＳ２０２において、画像処理制御部１は、撮影者の顔の前にあって位置が変化する変化部を検出し、その変化部の先端部を検出する。この先端部として、例えば撮影者の指先が検出される。ステップＳ２０３において、画像処理制御部１は、ステップＳ２０２で検出された先端部を撮影者に示すため第２の表示部１３に表示させる。
【００２５】
ステップＳ２０４において、画像処理制御部１は、先端部の動きが連続した円周状であるか否かを判定する。連続した円周状であると判定されたとき、処理はステップＳ２０５に進む。ここで、先端部の動きが連続した円周状であるとは、例えば図７に概略を示すような場合である。すなわち、撮影者９１１が指９１２を（１）（２）（３）の順に円周状に動かす場合などである。ステップＳ２０５において、画像処理制御部１は、全員モード処理を行う。全員モード処理については、後述する。その後、処理は図４を参照して説明しているカメラ制御処理に戻る。
【００２６】
ステップＳ２０４において、先端部の動きが連続した円周状でないと判定されたとき、処理はステップＳ２０６に進む。ステップＳ２０６において、画像処理制御部１は、先端部の動きが指差しであり、その後に第２のタッチパネル１４がタッチされたか否かを判定する。指差しの後にタッチと判定されたとき、処理はステップＳ２０７に進む。ここで、指差しの後にタッチとは、例えば図８に概略を示すような場合である。すなわち、まず撮影者９１１は（１）に示すように被写体を指差し、続いて（２）に示すように第２のタッチパネル１４をタッチする。
【００２７】
ステップＳ２０７において、画像処理制御部１は、組写真モード決定処理を行う。組写真モードについては、後述する。その後、処理は図４を参照して説明しているカメラ制御処理に戻る。
【００２８】
ステップＳ２０６において、先端部の動きが指差しの後にタッチではないと判定されたとき、処理はステップＳ２０８に進む。ここで、指差しの後にタッチでないと判定されたときとは、例えば図９に概略を示すような場合である。すなわち、例えば撮影者９１１が指９１２で（１）（２）（３）の順に次々と被写体を指差すことが考えられる。
【００２９】
ステップＳ２０８において、画像処理制御部１は、先端重視モード処理を行う。先端重視モード処理については、後述する。その後、処理は図４を参照して説明しているカメラ制御処理に戻る。
【００３０】
全員モード処理について説明する。全員モードでは図３Ａ、図３Ｂ及び図３Ｃを参照して説明したような画像を作成する。図３Ｃに示すような画像の撮影を行うときに、例えば図１０Ａに示すように、被写体である全員がデジタルカメラ１００の方を見ていない場合が想定される。このような場合、図１０Ｂのような画像が取得され、図１０Ｃのような画像が作成される。しかしながら、全員がデジタルカメラ１００の方を見ている写真、すなわち、全員の視線がある写真が求められることも多い。そこで、全員モードでは、デジタルカメラ１００は、複数回の撮影を行いそれらを合成して、全員がデジタルカメラ１００の方を見ている写真を作成する。
【００３１】
全員モード処理について、図１１に示すフローチャートを参照して説明する。ステップＳ３０１において、画像処理制御部１は、撮影範囲に含まれる人物を特定する。ステップＳ３０２において、画像処理制御部１は、全員がレンズを見ているか否かを判定する。全員がレンズを見ていると判定されたとき、処理はステップＳ３０３に進む。
【００３２】
ステップＳ３０３において、画像処理制御部１は、撮影動作を行う。すなわち、画像処理制御部１は、撮像部３に被写体像を取得させる。画像処理制御部１は、撮像部３から画像データを取得する。画像処理制御部１は、取得した画像データに一般的な画像処理や、図３Ｂに示すような画像から図３Ｃに示すような画像を作成することを含むその他の画像処理を施して、記録すべき記録画像を作成する。その後、処理は図６を参照して説明している全周囲モード処理に戻る。
【００３３】
ステップＳ３０２において、全員がレンズを見ていないと判定されたとき、処理はステップＳ３０４に進む。ステップＳ３０４において、画像処理制御部１は、撮影動作を行う。すなわち、撮像部３に被写体像を取得させる。画像処理制御部１は、撮像部３から得られた画像データを取得する。
【００３４】
ステップＳ３０５において、画像処理制御部１は、ステップＳ３０４の撮影においてレンズを見ていなかった人がレンズを見たか否かを判定する。レンズを見たと判定されたとき、処理はステップＳ３０６に進む。例えば被写体がレンズを中心に半径３０ｃｍ以内の範囲を見たときにレンズを見たと判定するように、画像処理制御部１は構成されてもよい。ステップＳ３０６において、画像処理制御部１は、撮影動作を行う。
【００３５】
ステップＳ３０７において、画像処理制御部１は、撮影範囲に含まれる人物の全員が少なくとも１回レンズを見た状態で撮影されたか否かを判定する。全員について撮影されたと判定されたとき、処理はステップＳ３０９に進む。一方、全員について撮影されていないと判定されたとき、処理はステップＳ３０５に戻る。
【００３６】
ステップＳ３０５の判定において、レンズを見ていなかった人がレンズを見ていないと判定されたとき、処理はステップＳ３０８に進む。ステップＳ３０８において、画像処理制御部１は、例えばステップＳ３０４の撮影や最近の撮影からの経過時間が所定の時間以内であるか否かを判定する。所定時間以内であると判定されたとき、処理はステップＳ３０５に戻る。一方、所定時間以内でないと判定されたとき、処理はステップＳ３０９に進む。
【００３７】
ステップＳ３０９において、画像処理制御部１は、ステップＳ３０４及びステップＳ３０６で撮影された画像のうちレンズを見ている人の画像を合成し、全員がレンズを見ている状態の画像を作成する。ステップＳ３１０において、画像処理制御部１は、ステップＳ３０９で作成した合成画像を記録部４に記録する。その後、処理は図６を参照して説明している全周囲モード処理に戻る。
【００３８】
例えばステップＳ３０４で撮影された１枚目の画像が図１２Ａのようなものであるとき、真ん中いる子どもは、デジタルカメラ１００の方を見ていない。このような場合に、全員撮影モードでは、この子どもがデジタルカメラ１００の方を見ているときにステップＳ３０６において再び撮影が行われる。デジタルカメラ１００は、ステップＳ３１０において、図１２Ｂに示すように撮影された画像から子どもの部分を切り出し、例えば図１２Ａの画像に合成する。その結果、例えば図１２Ｃに示すような、全員の視線がある画像が作成される。
【００３９】
本実施形態に係る全員モード処理によれば、全員が同時にデジタルカメラ１００の方を向いている写真が得られる。一般に、このような全員が同時にデジタルカメラ１００の方を向いている写真は好まれる。
【００４０】
次に、組写真モード処理について説明する。組写真モードでは、例えば図１３Ａのように、例えば第１のフレーム９２１、第２のフレーム９２２及び第３のフレーム９２３といった複数のフレームが１枚の画像９２０に含まれる組写真が作成される。本実施形態に係る組写真モードでは、図１３Ｂに示すように撮影者９１１が被写体９１５を指差して、続いて図１３Ｃに示すように第２の表示部１３に表示されたフレームにタッチする。このタッチ位置は、第２の表示部１３の上に設けられた第２のタッチパネル１４によって検出される。このような撮影者の操作によって、デジタルカメラ１００は、撮影者９１１が指差した被写体９１５の画像を、撮影者９１１がタッチしたフレームにはめ込むことで組写真を作成する。
【００４１】
組写真モード処理について図１４に示すフローチャートを参照して説明する。ステップＳ４０１において、画像処理制御部１は、撮影者が指差した被写体を特定する。例えば図１３Ｂに示すような場面では、例えば図１５Ａのような画像が取得される。この画像に基づいて、画像処理制御部１は、撮影者９１１が指差した被写体９１６を特定する。ステップＳ４０２において、画像処理制御部１は、撮影動作を行う。ステップＳ４０３において、画像処理制御部１は、撮影動作で得られた画像からステップＳ４０１で特定された指差された被写体の画像を切り出す。
【００４２】
ステップＳ４０４において、画像処理制御部１は、第２のタッチパネル１４からタッチ位置に係る情報を取得し、タッチされた部分を特定する。なお、このとき、撮像部３で得られる画像は、例えば図１５Ｂのようになる。ステップＳ４０５において、画像処理制御部１は、ステップＳ４０２で切り出した画像を、ステップＳ４０４で特定されたタッチされた領域に相当するフレームにはめ込む。ステップＳ４０６において、画像処理制御部１は、第２のタッチパネル１４からタッチされている位置に係る情報を取得し、タッチ位置に応じて画像の拡大又は縮小などの画像調整を行う。
【００４３】
ステップＳ４０７において、画像処理制御部１は、終了であるか否かを判定する。終了でないと判定されたとき、処理はステップＳ４０１に戻る。一方、終了であると判定されたとき、処理はステップＳ４０８に進む。ステップＳ４０８において、画像処理制御部１は、作成した組み写真を記録部４に記録する。
【００４４】
本実施形態によれば、図１６に示すように、次々と被写体とその被写体の画像をはめ込むフレームとを特定することで、例えば図１７Ａのような組写真が作成される。また、ステップＳ４０６で画像調整を行うことで、例えば図１７Ａのような画像を、図１７Ｂのような画像に変更することができる。また、例えば図１７Ａや図１７Ｂに示される「ＥＮＤ」と表示されたＥＮＤ表示９３１がタッチされたときに組写真の作成が終了するように構成されてもよい。このとき、ステップＳ４０７で行われる終了か否かの判定は、このＥＮＤ表示９３１がタッチされたか否かの判定となる。
【００４５】
本実施形態に係る組写真モード処理によれば、撮影者は、感覚的な動作で容易に図１７Ｂのような組写真を作成することができる。
【００４６】
なお、ここでは、組写真において撮影した画像をはめ込むフレームを撮影者が第２のタッチパネル１４を用いて選択する例を示した。しかしながら、これに限らない。例えば画像をはめ込むフレームの順序が予め定められており、撮影者が指差した被写体の画像が順に当該順序にしたがってはめ込まれるように構成されてもよい。
【００４７】
次に先端重視モード処理について説明する。先端重視モード処理は、例えば図１８Ａに示すように、被写体９１７が次々と移動する場面における撮影に用いられる。このような場合に、デジタルカメラ１００は、撮影者９１１が指定した位置に、被写体９１７が移動したときに撮影動作を行い、得られた複数の被写体９１７の画像を合成して、例えば図１８Ｂに示すような合成画像を作成する。
【００４８】
先端重視モード処理について図１９に示すフローチャートを参照して説明する。ステップＳ５０１において、画像処理制御部１は、撮影者の先端部の動きの回数を決定する。ここで、この回数をＮ回とする。ステップＳ５０２において、画像処理制御部１は、先端部が指し示す撮影位置を決定する。
【００４９】
ステップＳ５０３において、画像処理制御部１は、撮影位置に被写体が到達したか否かを判定する。撮影位置に被写体が到達したと判定されたとき、処理はステップＳ５０４に進む。ステップＳ５０４において、画像処理制御部１は、撮影動作を行う。
【００５０】
ステップＳ５０５において、画像処理制御部１は、Ｎ回の撮影が行われたか否かを判定する。Ｎ回の撮影が行われていないと判定されたとき処理はステップＳ５０２に戻る。一方、Ｎ回の撮影が行われたと判定されたとき、処理はステップＳ５０６に進む。ステップＳ５０６において、画像処理制御部１は、Ｎ回の撮影動作で得られた画像を合成し、合成画像を作成する。その後、処理はステップＳ５０９に進む。
【００５１】
ステップＳ５０３の判定において、撮影位置に被写体が到達していないと判定されたとき、処理はステップＳ５０７に進む。ステップＳ５０７において、画像処理制御部１は、先端重視モード処理の開始又は、前回の撮影動作から所定時間以内であるか否かを判定する。所定時間以内であると判定されたとき、処理はステップＳ５０３に戻る。一方、所定時間以内でないと判定されたとき、処理はステップＳ５０８に進む。ステップＳ５０８において、画像処理制御部１は、これまでに撮影した画像を合成して、合成画像を作成する。ステップＳ５０６やステップＳ５０８で行われる合成処理においては、例えば被写体を中心として左右１５度、合計３０度の範囲の画像を合成する等とする。
【００５２】
ステップＳ５０８の処理の後、処理はステップＳ５０９に進む。ステップＳ５０９において、画像処理制御部１は、作成した合成画像を記録部４に記録する。その後、処理は図６を参照して説明している全周囲モード処理に戻る。
【００５３】
本実施形態に係る先端重視モード処理によれば、撮影者は、図１８Ｂに示すような面白く興味深い写真を、感覚的な動作で容易に撮影することができる。
【００５４】
図４に戻って説明を続ける。図６を参照して説明した全周囲モード処理の後、処理はステップＳ１０６に進む。ステップＳ１０６において、画像処理制御部１は、電源がＯＦＦにされたか否かを判定する。電源がＯＦＦにされていないと判定されたとき、処理はステップＳ１０１に戻る。一方、電源がＯＦＦにされたと判定されたとき、処理はステップＳ１０７に進む。ステップＳ１０７において、画像処理制御部１は、撮像に係る各部や表示に係る各部の電源をＯＦＦにする。その後、カメラ制御処理は終了する。
【００５５】
ステップＳ１０３において、全周囲モードでないと判定されたとき、処理はステップＳ１０８に進む。このとき、図２Ａや図２Ｂのようにして行う一般的な撮影動作を実行する。ステップＳ１０８において、画像処理制御部１は、例えばレリーズボタンの押圧や、タッチレリーズ操作といった撮影操作が行われたか否かを判定する。撮影操作が行われていないと判定されたとき、処理はステップＳ１０６に進む。一方、撮影操作が行われたと判定されたとき、処理はステップＳ１０９に進む。ステップＳ１０９において、画像処理制御部１は、撮影動作を行う。すなわち、撮像部３から画像データを取得し、その画像データに基づいて画像処理を行う。ステップＳ１１０において、画像処理制御部１は、ステップＳ１０９で作成した画像を記録部４に記録する。その後、処理はステップＳ１０６に進む。
【００５６】
ステップＳ１０１において、撮影モードでないと判定されたとき、処理はステップＳ１１１に進む。ステップＳ１１１において、画像処理制御部１は、再生動作を行う。すなわち、画像処理制御部１は、記録部４に記録された画像データを読み出し、１枚ずつ又は複数のサムネイル画像を、第１の表示部１１に表示させる。その後、処理はステップＳ１０６に進む。
【００５７】
以上のように、本実施形態に係るデジタルカメラ１００は、全周囲モードにおいて、全員モード、組写真モード及び先端重視モードによって互いに異なる種類の撮影を行うことができる。これらモードの撮影において、撮影者は、被写体を指差すジェスチャーによって、直感的かつ容易に、魅力的な写真の撮影を行うことができる。さらに、これらモードの選択も、撮影者による被写体を指差すジェスチャーによって決定される。したがって、撮影者は、被写体を指差すジェスチャーによって、容易にモード選択も行うことができる。
【００５８】
本実施形態では、撮影光学系２として広角レンズ又は魚眼レンズを用いて、図２Ｃに示すように光学系の光軸を天頂に向けて撮影を行う場合を例に挙げて説明した。しかしながらこれに限らない。一般的な光学系を用いて、例えば図２Ａに示すようにデジタルカメラ１００を構えて撮影を行うときにも同様に機能するように、デジタルカメラ１００は構成され得る。この場合、たとえば撮影者の画像は取得されないと考えられるので、上述の例とは異なる方法で、撮影者の指を検出する必要がある。撮影者の指は、例えばテンプレートマッチングによって検出され得る。また、デジタルカメラ１００の第１の表示部１１及び第１のタッチパネル１２が設けられている側に、撮影光学系２及び撮像部３とは異なる撮影光学系及び撮像部がさらに設けられ、この撮像部によって取得された画像を用いて、撮影者のジェスチャーが判定されてもよい。
【００５９】
なお、本実施形態において例えばフローチャートを参照して説明した処理の順序等は適宜に変更され得る。例えば、図１４を参照して説明したステップＳ４０１乃至ステップＳ４０３と、ステップＳ４０４との順序は逆でもよい。その他、種々の処理の順序は入れ替えられ得るし、一部が削除され得るし、さらなる処理が追加され得る。
【００６０】
また、ここで説明した技術のうち、主にフローチャートで説明した制御に関しては、プログラムで設定可能であることが多い。このプログラムは、記録媒体や記録部に収められる場合もある。この記録媒体、記録部への記録の仕方は、製品出荷時に記録されてもよく、配布された記録媒体が利用されて記録されてもよく、インターネットを介したダウンロードが利用されて記録されてもよい。
【００６１】
また、本発明に係る技術は、デジタルカメラに限らず、例えばデジタルビデオカメラ及び撮影機能を有する携帯電話やタブレット型携帯機器等の電子機器としても適用することができる。
【符号の説明】
【００６２】
１…画像処理制御部、１ａ…動作判定部、１ｂ…撮像制御部、１ｃ…画像処理部、１ｄ…画像合成部、１ｅ…表示制御部、１ｆ…タッチ判定部、１ｇ…視線判定部、１ｈ…顔検出部、１ｉ…人体検出部、１ｊ…一時記憶部、２…撮影光学系、３…撮像部、４…記録部、５…フラッシュ、６…操作部、７…姿勢判定部、１１…第１の表示部、１２…第１のタッチパネル、１３…第２の表示部、１４…第２のタッチパネル、１００…デジタルカメラ。
【図１】
2015019215.tif 000003
【図２Ａ】
2015019215.tif 000004
【図２Ｂ】
2015019215.tif 000005
【図２Ｃ】
2015019215.tif 000006
【図３Ａ】
2015019215.tif 000007
【図３Ｂ】
2015019215.tif 000008
【図３Ｃ】
2015019215.tif 000009
【図４】
2015019215.tif 000010
【図５】
2015019215.tif 000011
【図６】
2015019215.tif 000012
【図７】
2015019215.tif 000013
【図８】
2015019215.tif 000014
【図９】
2015019215.tif 000015
【図１０Ａ】
2015019215.tif 000016
【図１０Ｂ】
2015019215.tif 000017
【図１０Ｃ】
2015019215.tif 000018
【図１１】
2015019215.tif 000019
【図１２Ａ】
2015019215.tif 000020
【図１２Ｂ】
2015019215.tif 000021
【図１２Ｃ】
2015019215.tif 000022
【図１３Ａ】
2015019215.tif 000023
【図１３Ｂ】
2015019215.tif 000024
【図１３Ｃ】
2015019215.tif 000025
【図１４】
2015019215.tif 000026
【図１５Ａ】
2015019215.tif 000027
【図１５Ｂ】
2015019215.tif 000028
【図１６】
2015019215.tif 000029
【図１７Ａ】
2015019215.tif 000030
【図１７Ｂ】
2015019215.tif 000031
【図１８Ａ】
2015019215.tif 000032
【図１８Ｂ】
2015019215.tif 000033
【図１９】
2015019215.tif 000034